(57)【特許請求の範囲】
【請求項１】
バッテリの温度を制御するバッテリ温度制御装置であって、
前記バッテリの温度を検出するバッテリ温度検出部と、
前記バッテリに温度調節用媒体を送って前記バッテリの温度を調節する温度調節部と、
前記温度調節用媒体の温度を検出する媒体温度検出部と、
前記バッテリの目標温度を格納する格納部と、
前記バッテリ温度検出部が検出したバッテリの温度、前記媒体温度検出部が検出した温度調節用媒体の温度および前記格納部が格納した目標温度に基づいて、前記バッテリの温度が前記目標温度に近づくように、前記温度調節部が送る温度調節用媒体の流量を制御する制御部と、を含み、
前記制御部は、
前記バッテリの温度および前記目標温度に基づいて、前記バッテリの温度を前記目標温度にするために必要な熱容量を決定する熱容量決定部と、
前記バッテリの温度および前記温度調節用媒体の温度に基づいて、前記温度調節部の温度調節能力を決定する温度調節能力決定部と、
前記熱容量決定部が決定した熱容量および前記温度調節能力決定部が決定した温度調節能力に基づいて、前記温度調節部が送る温度調節用媒体の流量を制御する流量制御部と、を含むバッテリ温度制御装置。
【請求項２】
前記流量制御部は、前記熱容量および前記温度調節能力に基づいて前記温度調節用媒体の流量を演算し、その演算された流量を、前記温度調節能力の大きさに応じて補正し、前記温度調節用媒体の流量を、その補正された流量に調節する、請求項１に記載のバッテリ温度制御装置。
【請求項３】
前記流量制御部は、前記バッテリの温度、前記温度調節用媒体の温度および前記目標温度に基づいて前記温度調節部のオンオフ許可条件を設定し、
前記温度調節部のオンオフ許可条件は、ヒステリシスを有する、請求項１または２に記載のバッテリ温度制御装置。
【請求項４】
前記バッテリの内部抵抗を検出する内部抵抗検出部をさらに含み、
前記制御部は、前記内部抵抗検出部が検出した内部抵抗に基づいて前記目標温度を制御する目標温度制御部を含む、請求項１ないし３のいずれか１項に記載のバッテリ温度制御装置。
【請求項５】
前記目標温度制御部は、前記内部抵抗が大きくなるにつれて前記目標温度を徐々に高くする、請求項４に記載のバッテリ温度制御装置。
【請求項６】
バッテリの温度を制御するバッテリ温度制御装置が行うバッテリ温度制御方法であって、
前記バッテリの温度を検出するバッテリ温度検出ステップと、
前記バッテリの温度を調節するために前記バッテリに送られる温度調節用媒体の温度を検出する媒体温度検出ステップと、
前記バッテリの目標温度を格納する格納ステップと、
前記バッテリの温度、前記温度調節用媒体の温度および前記目標温度に基づいて、前記バッテリの温度が前記目標温度に近づくように、前記温度調節用媒体の流量を制御する制御ステップと、を含み、
前記制御ステップは、
前記バッテリの温度および前記目標温度に基づいて、前記バッテリの温度を前記目標温度にするために必要な熱容量を決定する熱容量決定ステップと、
前記バッテリの温度および前記温度調節用媒体の温度に基づいて、前記温度調節用媒体の温度調節能力を決定する温度調節能力決定ステップと、
前記熱容量および前記温度調節能力に基づいて、前記温度調節用媒体の流量を制御する流量制御ステップと、を含むバッテリ温度制御方法。
【請求項７】
前記流量制御ステップは、
前記熱容量および前記温度調節能力に基づいて前記温度調節用媒体の流量を演算する演算ステップと、
その演算した流量を、前記温度調節能力の大きさに応じて補正する補正ステップと、
前記温度調節用媒体の流量をその補正した流量に調節する調節ステップと、を含む、請求項６に記載のバッテリ温度制御方法。
【請求項８】
前記流量制御ステップは、
前記バッテリの温度、前記温度調節用媒体の温度および前記目標温度に基づいて前記温度調節用媒体の流量制御オンオフ許可条件を設定する設定ステップを含み、
前記流量制御オンオフ許可条件は、ヒステリシスを有する、請求項６または７に記載のバッテリ温度制御方法。
【請求項９】
前記バッテリの内部抵抗を検出する内部抵抗検出ステップをさらに含み、
前記制御ステップは、前記内部抵抗に基づいて前記目標温度を制御する目標温度制御ステップを含む、請求項６ないし８のいずれか１項に記載のバッテリ温度制御方法。
【請求項１０】
前記目標温度制御ステップは、前記内部抵抗が大きくなるにつれて前記目標温度を徐々に高くする、請求項９に記載のバッテリ温度制御方法。
【発明の詳細な説明】
【技術分野】
【０００１】
本発明は、バッテリ温度制御装置およびバッテリ温度制御方法に関し、例えば、電気自動車またはハイブリッド自動車の電源として使用されるバッテリの温度を制御するバッテリ温度制御装置およびバッテリ温度制御方法に関する。
【背景技術】
【０００２】
従来、例えば、電気自動車またはハイブリッド自動車に搭載されるバッテリの温度を制御するバッテリ温度制御装置が知られている。【０００３】
特開２０００−３６３２７号公報には、バッテリの温度に応じて、冷却ファンの風量を制御するバッテリ冷却ファン制御装置が記載されている。このバッテリ冷却ファン制御装置は、バッテリ温度が、低温判定温度よりも高くかつ高温判定温度よりも低い場合、バッテリの温度だけに基づいて、冷却ファンの風量を決定する。【０００４】
特開２００２−６３９４６号公報には、外気温度とバッテリ温度との差に応じて、冷却ファンの風量およびその作動時間を制御するバッテリシステムが記載されている。
【特許文献１】特開２０００−３６３２７号公報
【特許文献２】特開２００２−６３９４６号公報
【発明の開示】
【発明が解決しようとする課題】
【０００５】
特開２０００−３６３２７号公報に記載のバッテリ冷却ファン制御装置では、バッテリの温度が低温判定温度よりも高くかつ高温判定温度よりも低い場合、冷却ファンの風量は、バッテリの温度だけに基づいて決定される。このため、バッテリの温度が低温判定温度よりも高くかつ高温判定温度よりも低い場合、バッテリの温度と外気温度との差が変化しても、冷却ファンの風量は変わらない。したがって、バッテリの温度を最適な状態に制御することは難しいという問題が生じる。【０００６】
特開２００２−６３９４６号公報に記載のバッテリシステムでは、外気温度とバッテリ温度との差に応じて、冷却ファンの風量および作動時間が制御される。このため、特開２０００−３６３２７号公報に記載のバッテリ冷却ファン制御装置で生じる問題を解決することが可能になる。【０００７】
しかしながら、特開２００２−６３９４６号公報に記載のバッテリシステムでは、バッテリ温度が変化しても、外気温度とバッテリ温度との差が一定である場合、冷却ファンの風量およびその作動時間は変わらない。このため、例えば、バッテリの温度が低いと、バッテリを冷やしすぎてしまう可能性がある。よって、バッテリ温度を最適な状態に制御することは難しい。【０００８】
なお、充放電可能なバッテリでは、バッテリの温度が低くなりすぎるとバッテリの性能が悪化し、また、バッテリの温度が高くなりすぎると、バッテリの寿命が短くなる。【０００９】
本発明の目的は、バッテリの温度を適切な状態に制御することが可能なバッテリ温度制御装置およびバッテリ温度制御方法を提供することである。
【課題を解決するための手段】
【００１０】
上記の目的を達成するため、本発明のバッテリ温度制御装置は、バッテリの温度を制御するバッテリ温度制御装置であって、前記バッテリの温度を検出するバッテリ温度検出部と、前記バッテリに温度調節用媒体を送って前記バッテリの温度を調節する温度調節部と、前記温度調節用媒体の温度を検出する媒体温度検出部と、前記バッテリの目標温度を格納する格納部と、前記バッテリ温度検出部が検出したバッテリの温度、前記媒体温度検出部が検出した温度調節用媒体の温度および前記格納部が格納した目標温度に基づいて、前記バッテリの温度が前記目標温度に近づくように、前記温度調節部が送る温度調節用媒体の流量を制御する制御部とを含む。【００１１】
また、本発明のバッテリ温度制御方法は、バッテリの温度を制御するバッテリ温度制御装置が行うバッテリ温度制御方法であって、前記バッテリの温度を検出するバッテリ温度検出ステップと、前記バッテリの温度を調節するために前記バッテリに送られる温度調節用媒体の温度を検出する媒体温度検出ステップと、前記バッテリの目標温度を格納する格納ステップと、前記バッテリの温度、前記温度調節用媒体の温度および前記目標温度に基づいて、前記バッテリの温度が前記目標温度に近づくように、前記温度調節用媒体の流量を制御する制御ステップとを含む。【００１２】
上記の発明によれば、バッテリの温度、温度調節用媒体の温度および目標温度に基づいて、バッテリの温度が目標温度に近づくように、温度調節用媒体の流量が制御される。このため、バッテリの温度、温度調節用媒体の温度および目標温度の相対的な関係に基づいて、バッテリの温度を調整することが可能になる。よって、バッテリの温度を目標温度に調節することが容易になる。したがって、バッテリ温度を適切な状態に制御することが可能になる。【００１３】
なお、バッテリの温度および目標温度に基づいて、バッテリの温度を目標温度にするために必要な熱容量を決定し、バッテリの温度および温度調節用媒体の温度に基づいて、温度調節能力を決定し、その決定された熱容量および温度調節能力に基づいて、温度調節用媒体の流量を制御することが望ましい。【００１４】
上記の発明によれば、バッテリの温度と目標温度との相対的な関係およびバッテリの温度と温度調節用媒体の温度との相対的な関係に基づいて、バッテリ温度を適切な状態に制御することが可能になる。【００１５】
また、前記熱容量および前記温度調節能力に基づいて温度調節用媒体の流量を演算し、その演算された流量を、前記温度調節能力の大きさに応じて補正し、前記温度調節用媒体の流量を、その補正された流量に調節することが望ましい。【００１６】
上記の発明によれば、温度調節用媒体の流量が大きすぎるときに発生するバッテリ温度制御装置の振動を防止することが可能になる。また、温度調節能力が小さいときに、温度調節用媒体の流量が大きくなりすぎて、温度制御効率が悪化することを防止することが可能になる。【００１７】
また、前記バッテリの温度、前記温度調節用媒体の温度および前記目標温度に基づいて前記温度調節部のオンオフ許可条件を設定し、前記温度調節部のオンオフ許可条件がヒステリシスを有することが望ましい。【００１８】
上記の発明によれば、例えば、バッテリ温度の検出精度に起因する温度調節部のオンオフのハンチングを防止することが可能になる。【００１９】
また、前記温度調節用媒体は、気体または液体であることが望ましい。【００２０】
また、バッテリの内部抵抗を検出し、その検出された内部抵抗に基づいて目標温度を制御することが望ましい。【００２１】
バッテリの内部抵抗が変化すると、バッテリの性能も変化する。このため、上記の発明によれば、バッテリの内部抵抗の変化に応じて、バッテリの性能が変化することを防止することが可能になる。【００２２】
また、内部抵抗が大きくなるにつれて目標温度を徐々に高くすることが望ましい。【００２３】
バッテリの内部抵抗が増大すると、バッテリの性能が低下する。また、バッテリの性能は、バッテリの温度が高くなるにつれて良くなる。このため、上記の発明によれば、バッテリの内部抵抗の増大に応じて、バッテリの性能が低下することを防止することが可能になる。
【発明の効果】
【００２４】
本発明によれば、バッテリ温度を適切な状態に制御することが可能になる。
【図面の簡単な説明】
【００２５】
【図１】図１は本発明の一実施例のバッテリ温度制御装置を示したブロック図である。
【図２】図２は図１に示したバッテリ温度制御装置の動作を説明するためのフローチャートである。
【図３】図３は温度調節能力の大きさにしたがった制御定数の一例を示した説明図である。
【図４】図４は温度調節能力の大きさにしたがった温度調節用媒体の流量制限値の一例を示した説明図である。
【符号の説明】
【００２６】
１      バッテリ
２      バッテリ温度検出部
３      ファン
４      媒体温度検出部
５      格納部
６      制御部
６１    熱容量決定部
６２    温度調節能力決定部
６３    流量制御部
６４    目標温度制御部
７      内部抵抗検出部
８      負荷
【発明を実施するための最良の形態】
【００２７】
以下、本発明の実施例について図面を参照して説明する。【００２８】
図１は、本発明の一実施例のバッテリ温度制御装置を示したブロック図である。【００２９】
図１において、バッテリ温度制御装置は、バッテリ１と、バッテリ温度検出部２と、ファン３と、媒体温度検出部４と、格納部５と、制御部６と、内部抵抗検出部７とを含む。制御部６は、熱容量決定部６１と、温度調節能力決定部６２と、流量制御部６３と、目標温度制御部６４とを含む。【００３０】
バッテリ１は、充放電可能な組電池である。バッテリ１は、直列に接続された複数の単位電池（セル）にて構成される。バッテリ１の性能は、バッテリ１の温度が低くなりすぎると悪化し、また、バッテリ１の寿命は、バッテリ１の温度が高くなりすぎると短くなる。また、バッテリ１は、負荷８の電源として使用される。負荷８は、例えば、車両駆動用負荷である。【００３１】
本実施例では、バッテリ１は、ハイブリッド自動車、電気自動車または燃料電池自動車に搭載される。バッテリ１は、エンジン始動および車両駆動に必要な電力を供給する電源として使用される。また、バッテリ１は、そのＳＯＣ（State Of Charge）が所定の範囲に収まるように充放電される。なお、バッテリ１の充放電は、バッテリ制御部（不図示）によって制御される。【００３２】
バッテリ温度検出部２は、バッテリ１の温度を検出する。【００３３】
ファン３は、温度調節部として使用される。ファン３は、バッテリ１に空気（気体）を送ってバッテリ１の温度を調節する。なお、空気（気体）は、温度調節用媒体の一例である。【００３４】
媒体温度検出部４は、温度調節用媒体の温度を検出する。本実施例では、媒体温度検出部４は、ファン３から送風される気体（空気）の温度を検出する。【００３５】
格納部５は、バッテリ１の目標温度を格納する。換言すると、格納部５には、バッテリ１の目標温度が設定される。なお、バッテリ１の目標温度は、予めメーカによって格納部５に設定されてもよいし、また、目標温度制御部６４によって、バッテリ１の内部抵抗に応じた値に設定されてもよい。【００３６】
制御部６は、バッテリ温度検出部２が検出したバッテリ１の温度、媒体温度検出部４が検出した温度調節用媒体の温度、および、格納部５が格納した目標温度に基づいて、バッテリ１の温度がその目標温度に近づくように、ファン３が送る気体（空気）の流量を制御する。【００３７】
なお、制御部６は、例えば、ＣＰＵ、ＲＯＭおよびＲＡＭによって構成される。そのＲＯＭは、制御部６の動作を規定する動作プログラムを格納する。そのＣＰＵは、その動作プログラムを読み込み、その読み込まれた動作プログラムを実行することによって、種々の動作を実行する。【００３８】
本実施例では、そのＣＰＵは、その動作プログラムを実行することによって、熱容量決定部６１と、温度調節能力決定部６２と、流量制御部６３と、目標温度制御部６４とを実現する。なお、熱容量決定部６１と、温度調節能力決定部６２と、流量制御部６３と、目標温度制御部６４とは、ハードウェアで構成されてもよい。【００３９】
熱容量決定部６１は、バッテリ１の温度およびバッテリ１の目標温度に基づいて、バッテリ１の温度をその目標温度に変更するために必要な熱容量を決定する。【００４０】
例えば、熱容量決定部６１は、（バッテリ１の温度−目標温度）×（バッテリ１の比熱）の計算式を実行して、その必要な熱容量を決定する。なお、熱容量決定部６１は、バッテリ１の比熱を予め格納している。【００４１】
温度調節能力決定部６２は、バッテリ１の温度および温度調節用媒体の温度に基づいて、ファン３の温度調節能力を決定する。換言すると、温度調節能力決定部６２は、バッテリ１の温度および温度調節用媒体の温度に基づいて、温度調節用媒体の温度調節能力を決定する。【００４２】
例えば、温度調節能力決定部６２は、（バッテリ１の温度−温度調節用媒体の温度）の計算式を実行して、基準流量でのファン３の温度調節能力、すなわち、基準流量での温度調節用媒体の温度調節能力を決定する。【００４３】
流量制御部６３は、熱容量決定部６１にて決定された熱容量および温度調節能力決定部６２にて決定された温度調節能力に基づいて、ファン３が送る温度調節用媒体の流量を制御する。【００４４】
例えば、流量制御部６３は、（熱容量決定部６１が決定した熱容量）／（温度調節能力決定部６２が決定した温度調節能力）の計算式を実行して、基準流量に対するファン３の流量の比を決定する。なお、流量制御部６３は、基準流量を予め格納している。流量制御部６３は、その基準流量にその比を掛けて、ファン３が送る温度調節用媒体の流量を決定する。流量制御部６３は、その決定された流量を、温度調節能力の大きさに応じて補正する。【００４５】
流量制御部６３は、ファン３が、その補正された流量で温度調節用媒体をバッテリ１に送るように、ファン３が送る温度調節用媒体の流量を制御する。【００４６】
流量制御部６３は、（熱容量決定部６１が決定した熱容量）／（温度調節能力決定部６２が決定した温度調節能力）の値が負の値である場合、ファン３による温度調節は十分に機能しないと判断して、ファン３を停止する。【００４７】
なお、バッテリ１の温度が目標温度より高く、温度調節用媒体の温度がバッテリ１の温度より高い場合、および、バッテリ１の温度が目標温度より低く、温度調節用媒体の温度がバッテリ１の温度より低い場合、（熱容量決定部６１が決定した熱容量）／（温度調節能力決定部６２が決定した温度調節能力）の値が負の値になる。【００４８】
内部抵抗検出部７は、バッテリ１の内部抵抗を検出する。例えば、内部抵抗検出部７は、バッテリ１の電流値を短時間に△Ｉだけ変化させ、そのときのバッテリ１の電圧変化量△Ｖを検出して、内部抵抗Ｚ＝△Ｖ／△Ｉの式より、バッテリ１の内部抵抗を求める。【００４９】
目標温度制御部６４は、内部抵抗検出部７が検出した内部抵抗に基づいて、格納部５が格納する目標温度を制御する。具体的には、目標温度制御部６４は、内部抵抗検出部７が検出した内部抵抗が大きくなるにつれて、目標温度を徐々に高くする。【００５０】
次に、動作を説明する。【００５１】
図２は、制御部６の動作を説明するためのフローチャートである。以下、図２を参照して制御部６が行う温度制御動作を説明する。【００５２】
ステップ２１では、目標温度制御部６４は、内部抵抗検出部７に、バッテリ１の内部抵抗を検出させる。内部抵抗検出部７は、バッテリ１の内部抵抗を検出すると、その検出されたバッテリ１の内部抵抗を、目標温度制御部６４に出力する。目標温度制御部６４は、そのバッテリ１の内部抵抗を受け付けると、そのバッテリ１の内部抵抗に基づいて目標温度を設定する。なお、目標温度制御部６４は、バッテリ１の内部抵抗が大きくなるにつれて、目標温度が徐々に高くなるように、目標温度を設定する。【００５３】
目標温度制御部６４は、ステップ２１を終了すると、ステップ２２を実行する。【００５４】
ステップ２２では、目標温度制御部６４は、格納部５に既に格納されていた目標温度を削除し、その後、ステップ２１で設定された目標温度を新たに格納部５に格納する。【００５５】
熱容量決定部６１は、ステップ２２が終了すると、ステップ２３を実行する。【００５６】
ステップ２３では、熱容量決定部６１は、バッテリ温度検出部２が検出したバッテリ１の温度および格納部５が格納している目標温度に基づいて、バッテリ１の温度をその目標温度にするために必要な熱容量を決定する。具体的には、熱容量決定部６１は、（バッテリ１の温度−目標温度）×（バッテリ１の比熱）の計算式を実行して、その必要な熱容量を求める。【００５７】
温度調整能力決定部６２は、ステップ２３が終了すると、ステップ２４を実行する。【００５８】
ステップ２４では、温度調節能力決定部６２は、バッテリ温度検出部２が検出したバッテリ１の温度および媒体温度検出部４が検出した温度調節用媒体の温度に基づいて、ファン３の温度調節能力を決定する。具体的には、温度調節能力決定部６２は、（バッテリ１の温度−温度調節用媒体の温度）の計算式を実行して、基準流量でのファン３の温度調節能力を決定する。【００５９】
流量制御部６３は、ステップ２４が終了すると、ステップ２５を実行する。【００６０】
ステップ２５では、流量制御部６３は、熱容量決定部６１が決定した熱容量および温度調節能力決定部６２が決定した温度調節能力に基づいて、ファン３が送る温度調節用媒体（気体（空気））の流量を制御する。【００６１】
具体的には、流量制御部６３は、（熱容量決定部６１が決定した熱容量）／（温度調節能力決定部６２が決定した温度調節能力）の計算式を実行して、基準流量に対するファン３の流量の比を決定する。流量制御部６３は、その基準流量に、その比を掛けて、ファン３が送る温度調節用媒体の流量を決定する。【００６２】
なお、（熱容量決定部６１が決定した熱容量）／（温度調節能力決定部６２が決定した温度調節能力）の計算式では、温度調整能力は（バッテリ温度−温度調節用媒体の温度）となる。【００６３】
このため、バッテリ温度と温度調節用媒体の温度の差が小さいと、温度調節用媒体の流量の計算結果が大きくなる。このとき、バッテリ温度または温度調節用媒体の温度に微小な変化が生じても、温度調節用媒体の流量は大きく変動する。よって、バッテリ温度制御装置において振動が発生する可能性がある。また、温度調整能力が小さいときに温度調節用媒体の流量を大きくしすぎると、温度制御効率が悪くなる。【００６４】
このような問題を解決するために、ステップ２５では、流量制御部６３は、その決定された温度調節用媒体の流量を、温度調節能力の大きさに応じて補正する。【００６５】
例えば、流量制御部６３は、その決定された温度調節用媒体の流量に、温度調節能力の大きさにしたがった制御定数を乗じて、その流量を補正する。図３は、温度調節能力の大きさにしたがった制御定数の一例を示した説明図である。【００６６】
また、例えば、流量制御部６３は、温度調節能力の大きさにしたがった温度調節用媒体の流量制限値を予め格納しておき、その決定された温度調節用媒体の流量が、その流量制限値を超えている場合は、その決定された温度調節用媒体の流量を、その流量制限値に補正する。図４は、温度調節能力の大きさにしたがった温度調節用媒体の流量制限値の一例を示した説明図である。【００６７】
流量制御部６３は、ステップ２５が終了すると、ステップ２６を実行する。【００６８】
ステップ２６では、流量制御部６３は、ファン３が、ステップ２５で決定された流量で温度調節用媒体（気体（空気））をバッテリ１に送るように、ファン３が送る温度調節用媒体の流量を制御する。【００６９】
このため、バッテリ１の温度は、ファン３から送られる温度調節用媒体（気体（空気））によって、目標温度に近づいていく。【００７０】
なお、流量制御部６３は、（熱容量決定部６１が決定した熱容量）／（温度調節能力決定部６２が決定した温度調節能力）の値が負の値である場合、ファン３による温度調節は十分に機能しないと判断して、ファン３を停止する。【００７１】
また、制御部６は、図２に示す動作を連続的に繰り返してもよいし、例えば、所定時間間隔で、その動作を実行してもよい。【００７２】
なお、本実施例は、例えば、以下のように変形することが望ましい。【００７３】
流量制御部６３は、バッテリの温度、温度調節用媒体の温度および目標温度に基づいてファン３のオンオフ許可条件を設定する。流量制御部６３は、例えば、バッテリ１の温度の検出精度に起因するファン３のオンオフのハンチングを防止するために、そのファン３のオンオフ許可条件にヒステリシスを設ける。【００７４】
例えば、流量制御部６３は、バッテリ１の温度が温度調整用媒体の温度よりも高い場合は、バッテリ１の温度が（目標温度＋△Ｔ１）以上のときにファン３の動作を許可し、バッテリ１の温度が（目標温度＋△Ｔ２）以下になったときにファン３の動作を禁止する。なお、△Ｔ１＞△Ｔ２である。【００７５】
また、流量制御部６３は、バッテリ１の温度が温度調整用媒体の温度よりも低い場合は、バッテリ１の温度が（目標温度−△Ｔ３）以下のときにファン３の動作を許可し、バッテリ１の温度が（目標温度−△Ｔ４）以上になったときにファン３の動作を禁止する。なお、△Ｔ３＞△Ｔ４である。【００７６】
本実施例によれば、バッテリ１の温度、温度調節用媒体の温度および目標温度に基づいて、バッテリ１の温度が目標温度に近づくように、ファン３の風量が制御される。このため、バッテリの温度、温度調節用媒体の温度および目標温度の相対的な関係に基づいて、バッテリ１の温度を調節することが可能になる。よって、バッテリ１の温度を目標温度に調節することが容易になる。したがって、バッテリ温度を適切な状態に制御することが可能になる。【００７７】
また、バッテリ１の温度が適切な状態に制御されるため、電気自動車またはハイブリッド自動車の走行用モータの電源としてバッテリ１が使用された場合、電気自動車またはハイブリッド自動車の走行性能を安定させることが可能になる。【００７８】
また、本実施例では、バッテリ１の温度および目標温度に基づいて、バッテリ１の温度を目標温度にするために必要な熱容量が決定される。また、バッテリ１の温度および温度調節用媒体の温度に基づいて、温度調節能力が決定される。また、その決定された熱容量および温度調節能力に基づいて、温度調節用媒体の流量が制御される。このため、バッテリ１の温度と目標温度との相対的な関係およびバッテリ１の温度と温度調節用媒体の温度との相対的な関係に基づいて、バッテリ温度を適切な状態に制御することが可能になる。【００７９】
また、本実施例では、バッテリ１の温度を適切な状態に制御するために、ファン３の風量が最適に制御される。このため、ファン３から無駄な送風が行われることを防止できる。したがって、無駄な送風に起因するファン３の駆動音を少なくすることができる。また、ファン３の駆動エネルギが、無駄な送風によって消費されることを防止できる。【００８０】
また、本実施例では、熱容量決定部６１が決定した熱容量および温度調節能力決定部が決定した温度調節能力に基づいて、温度調節用媒体の流量が演算される。また、その演算された流量が、その温度調節能力の大きさに応じて補正される。また、温度調節用媒体の流量が、その補正された流量に調節される。このため、温度調節用媒体の流量が大きすぎることに起因するバッテリ温度制御装置の振動を防止することが可能になる。また、温度調節能力が小さいときに、温度調節用媒体の流量が大きくなりすぎて、温度制御効率が悪化することを防止することが可能になる。【００８１】
また、本実施例では、バッテリ１の内部抵抗が検出され、その検出された内部抵抗に基づいて目標温度が制御される。バッテリ１の内部抵抗が変化すると、バッテリ１の性能も変化する。このため、本実施例によれば、バッテリ１の内部抵抗の変化に応じて、バッテリ１の性能が変化することを防止することが可能になる。【００８２】
また、本実施例では、バッテリ１の内部抵抗が大きくなるにつれて目標温度が徐々に高くなる。バッテリの内部抵抗が増大すると、バッテリの性能が低下する。また、バッテリの性能は、バッテリの温度が高くなるにつれて良くなる。このため、本実施例によれば、バッテリ１の内部抵抗の増大に応じて、バッテリ１の性能が低下することを防止することが可能になる。【００８３】
また、制御部６が上記温度制御動作を繰り返し行えば、バッテリ１の温度を常時目標温度の近傍にすることが可能となる。このため、バッテリ１を常に最適な状態で使用することが可能となる。【００８４】
なお、上記実施例では、温度調節用媒体として気体（空気）を用いた。しかしながら、温度調節用媒体は、気体（空気）に限らず適宜変更可能である。例えば、温度調節用媒体として、液体が用いられてもよい。この場合、温度調節部として液体噴出機が用いられ、また、媒体温度検出部４は、その液体の温度を検出する。【００８５】
また、上記実施例では、目標温度がバッテリ１の内部抵抗に応じて変更されたが、目標温度は変更されなくてもよい。この場合、図１に示した内部抵抗検出部７および目標温度制御部６４が省略され、図２に示したステップ２１およびステップ２２が省略されてもよい。【００８６】
以上説明した実施例において、図示した構成は単なる一例であって、本発明はその構成に限定されるものではない。
【図１】
0004860479.tif 000002
【図２】
0004860479.tif 000003
【図３】
0004860479.tif 000004
【図４】
0004860479.tif 000005